(57)【特許請求の範囲】
【請求項１】
複数の建築用鋼製天井下地の間に形成された開口を塞ぐ複数の天井ボードのうち、一部の前記天井ボードを取り除いて形成された天井ボード設置空間に設置される照明装置において、
前記建築用鋼材天井下地の下面に取り付けられる、平面視において前記開口よりも大きく、かつ前記天井ボード設置空間よりも小さいサイズのベース部材と、前記ベース部材の正面に設けられる、平面視において前記開口よりも大きく、かつ前記天井ボード設置空間よりも小さいサイズの正面パネルと、前記ベース部材及び前記正面パネル間に形成された収容空間に収容された発光素子を有する照明モジュールとを備えた照明器具本体と、
前記照明器具本体の端縁部を前記天井ボード設置空間に嵌め込み固定する固定手段と、
を備えたことを特徴とする照明装置。
【請求項２】
前記固定手段は、前記ベース部材及び前記正面パネルにより形成された端縁部を支持するサイドフレーム部材と、前記サイドフレーム部材に形成された締付具挿入孔と、前記締付具挿入孔を介して前記建築用鋼製天井下地の下面に締付固定する締付具とを備えたことを特徴とする請求項１記載の照明装置。
【請求項３】
前記照明器具本体の一辺の長さは、前記建築用鋼製天井下地間の寸法以上を満足するように設定され、
前記照明器具本体の高さ寸法は、前記天井ボードの肉厚と略一致する寸法を満足するように設定されたことを特徴とする請求項１記載の照明装置。
【発明の詳細な説明】
【技術分野】
【０００１】
本発明は、オフィス、店舗や住宅等の部屋内の居住空間を照明する天井埋込型の照明装置に関する。
【背景技術】
【０００２】
オフィス、店舗や住宅等の部屋内の居住空間を照明する照明装置としては、天井内に細長い建築用鋼製天井下地を格子状に張り巡らし、隣り合う二列の建築用鋼製天井下地の周端縁部に載置した各種の天井埋込型の照明装置がある。この種の照明装置の一例としては、ランプソケットや反射板等を備えた照明器具本体からなる蛍光灯装置が提案されている（例えば、特許文献１参照。）。
【０００３】
この従来の照明器具本体は、互いに平行な一対の支持フレームを介して天井内に支持されている。この支持フレームと対応する部位には、断面がＩ形をなす一対の建築用鋼製天井下地（天井バー）が平行に設置されており、この建築用鋼製天井下地に固定されたブラケットによって支持フレームの長手方向両側端部が支持されている。
【先行技術文献】
【特許文献】
【０００４】
【特許文献１】特開平５−８９７１４号公報
【発明の概要】
【発明が解決しようとする課題】
【０００５】
上記特許文献１に記載された天井埋込型の蛍光灯装置では、照明器具本体が建築用鋼製天井下地に干渉する場合は、格子状に張り巡らした建築用鋼製天井下地の一部を切断することで蛍光灯装置の設置空間を確保する必要があるが、切断により強度や剛性が低下した建築用鋼製天井下地は、補強部材により補強する必要がある。
【０００６】
また、この従来の蛍光灯装置は、照明器具本体内に点灯装置等の重量物を内蔵しており、照明器具本体の重量が大きい。そのため、照明器具本体の設置箇所と対応する建築用鋼製天井下地を天井等の建造物から垂下させた吊りボルトなどの支持装置により補強支持する必要がある。
【０００７】
従って、本発明の目的は、小型軽量であり、建築用鋼製天井下地を切断することなく、既存の建築用鋼製天井下地形状のままの状態で取り付けることができる照明装置を提供することにある。
【課題を解決するための手段】
【０００８】
本発明は、上記目的を達成するため、複数の建築用鋼製天井下地の間に形成された開口を塞ぐ複数の天井ボードのうち、一部の前記天井ボードを取り除いて形成された天井ボード設置空間に設置される照明装置において、前記建築用鋼材天井下地の下面に取り付けられる、平面視において前記開口よりも大きく、かつ前記天井ボード設置空間よりも小さいサイズのベース部材と、前記ベース部材の正面に設けられる、平面視において前記開口よりも大きく、かつ前記天井ボード設置空間よりも小さいサイズの正面パネルと、前記ベース部材及び前記正面パネル間に形成された収容空間に収容された発光素子を有する照明モジュールとを備えた照明器具本体と、前記照明器具本体の端縁部を前記天井ボード設置空間に嵌め込み固定する固定手段と、を備えたことを特徴とする照明装置を提供する。
【０００９】
前記固定手段としては、前記ベース部材及び前記正面パネルにより形成された端縁部を支持するサイドフレーム部材と、前記サイドフレーム部材に形成された締付具挿入孔と、前記締付具挿入孔を介して前記建築用鋼製天井下地の下面に締付固定する締付具とにより構成されることが好適である。
【００１０】
前記照明器具本体の一辺の長さ部分は、前記建築用鋼製天井下地間の寸法以上を満足するように設定され、前記ベース部材の高さ部分は、前記天井ボードの肉厚と略一致する寸法を満足するように設定されることが好適である。
【発明の効果】
【００１１】
本発明によれば、小型軽量な照明装置が得られ、建築用鋼製天井下地を切断することなく、既存の建築用鋼製天井下地形状のままの状態で照明装置を容易に取り付けることができる。
【図面の簡単な説明】
【００１２】
【図１】本発明に係る好適な実施の形態である照明装置を組み付けた天井照明システムを模式的に示す部分斜視図である。
【図２】（ａ）は本発明の照明装置の一部を切欠して示す平面図であり、（ｂ）は背面図である。
【図３】（ａ）は図２（ａ）のIIIＡ−IIIＡ線の矢視断面拡大図であり、（ｂ）は図２（ａ）のIIIＢ−IIIＢ線の矢視断面拡大図である。
【図４】（ａ）は図２（ａ）のIVＡ−IVＡ線の矢視断面部分拡大図であり、（ｂ）は図２（ａ）のIVＢ−IVＢ線の矢視断面部分拡大図である。
【図５】照明装置、建築用鋼製天井下地、及び天井ボードの寸法関係を説明するための図である。
【発明を実施するための形態】
【００１３】
以下、本発明の好適な実施の形態を添付図面に基づいて具体的に説明する。
【００１４】
（天井照明システム）
図１において、全体を示す符号１は、この実施の形態に好適に用いられる天井照明システムの一部を概略的に示している。この天井照明システム１は、オフィス、店舗や住宅等の部屋内の天井に建築用鋼製天井下地（野縁バー）２を格子状に設置し、その建築用鋼製天井下地２に天井ボード３や照明装置１０などをネジ締め固定するシステム天井工法により施工される。
【００１５】
この建築用鋼製天井下地２は、図１に示すように、鉄骨材からなる一対の外枠を有するコ字状に形成されており、天井等の建造物の所定の部位に垂下して設けられた吊りボルト４により吊り上げて固定されている。建築用鋼製天井下地２の格子目の一部は照明装置１０により塞がれている。その格子目の残部は天井ボード３により塞がれている。
【００１６】
（照明装置の外観構成）
図２及び図３において、全体を示す符号１０は、この実施の形態に係る典型的な天井埋込型のＬＥＤ照明装置の一構成例を概略的に示している。このＬＥＤ照明装置１０は、正面方向に開放した直方形箱状のベース部材１１と、ベース部材１１の開口を塞ぐ直方形板状の正面パネル１２と、ベース部材１１及び正面パネル１２により形成された周端縁部を支持するサイドフレーム部材１３との３つの構成部材により外観形状を形成している。
【００１７】
ベース部材１１は、例えばアルミニウム材などの金属材料からなり、正面が開放された開口を有する細長いケース状に形成されている。正面パネル１２は、例えばＰＭＭＡ（ポリメタクリル酸メチル）樹脂やポリカーボネート（ＰＣ）樹脂の材料からなり、細長い板状に形成されている。サイドフレーム部材１３は、例えばアルミニウムなどの金属材料等を押出成形することで形成されている。このベース部材１１、正面パネル１２、及びサイドフレーム部材１３によりＬＥＤ照明器具本体１４が構成される。
【００１８】
（ＬＥＤ照明器具本体の構成）
ＬＥＤ照明器具本体１４の内部に形成された収容空間１５には、図２〜図４に示すように、照明モジュールが収容されている。この照明モジュールは、絶縁シート１６を介して並列した複数のＬＥＤ基板１７、ＬＥＤ基板１７上に搭載された長方形状をなす複数のリフレクタ１８、及び複数の発光素子（以下、「ＬＥＤ素子」という。）１９により主に構成されている。
【００１９】
このＬＥＤ素子１９は、図２〜図４に示すように、リフレクタ１８に等間隔で直線状に配置された複数の孔１８ａの中心に並列されている。図示例にあっては、複数の孔１８ａは、法線方向に次第に傾斜して拡がる四角漏斗状に形成されており、リフレクタ１８毎に４個のＬＥＤ素子１９が配置されている。
【００２０】
ＬＥＤ基板１７の材質は、例えばガラス基材（例えば、ＦＲ−４等）又はエポキシ系・ポリエステル系コンポジット基材（例えば、ＣＥＭ−３等）の材料からなる。ＬＥＤ基板１７の表面には、図示しない配線回路がＬＥＤ素子１９と電気的に接続されている。ＬＥＤ基板１７の裏面には、図２及び図３に示すように、ＬＥＤ素子１９に配線回路を介して電源を供給する端子台３０が設置されている。その端子台３０は、ＬＥＤ基板１７とは別体に設けられた専用直流電源３１から電源線３２を介して給電される。
【００２１】
（ＬＥＤ照明器具本体の取付形態）
上記のように構成された天井照明システム１やＬＥＤ照明装置１０は、図示例に限定されるものではない。この実施の形態において主要な構成とするところは、天井に対するＬＥＤ照明器具本体１４の取付形態にある。図示例にあっては、ＬＥＤ照明器具本体１４は、図３及び図４に示すように、複数の建築用鋼製天井下地２の間に形成された開口を塞ぐ複数の天井ボード３のうち、一部の天井ボード３を取り除いて形成された天井ボード設置空間５に嵌め込まれており、その嵌め込み状態で、建築用鋼製天井下地２の下面にＬＥＤ照明器具本体１４を取り付けている。
【００２２】
このＬＥＤ照明器具本体１４の一構成部品であるベース部材１１とサイドフレーム部材１３とは、図３及び図４に示すように、取付スペーサ２０を介して所定の間隔をもって配置されている。このベース部材１１とサイドフレーム部材１３との間には収容空間１５が形成されている。
【００２３】
この取付スペーサ２０は、図３及び図４に示すように、先端に両端部よりも縮径したネジ部２０ａを有する筒体からなる。そのネジ部２０ａをサイドフレーム部材１３に締付固定するとともに、取付スペーサ２０の筒部内に形成された内ネジ２０ｂにビス締めを行うことで、ベース部材１１が締付固定されている。
【００２４】
このサイドフレーム部材１３は、図２に示すように、長尺及び短尺の２種類の金属フレーム材からなり、図３及び図４に示すように、細長い直方形ケースをなす取付基部１３ａを有している。その取付基部１３ａの両側には、正面パネル１２の周端縁部を挟み込んで固定する一対のパネル挟持部１３ｂ，１３ｂが形成されるともに、天井ボード３に当接するリップ部１３ｃが形成されている。
【００２５】
このサイドフレーム部材１３は、図２に示すように、互いに直交して配されたサイドフレーム部材１３の端部同士を連結固定する四角ケース形状をなす４つのモール部材２１を有している。そのモール部材２１は、例えばポリカーボネート（ＰＣ）樹脂材料からなり、図３及び図４に示すように、四角ケース形状の取付筒部２１ａを有している。その取付筒部２１ａの両側には、サイドフレーム部材１３の端部を支持するフレーム支持部２１ｂが形成されるとともに、天井ボード３に当接するリップ部２１ｃが形成されている。
【００２６】
図示例によれば、モール部材２１は、図３及び図４に示すように、互いに隣接する一対の建築用鋼製天井下地２の下面にあって、複数の天井ボード３間に形成された天井ボード設置空間５にＬＥＤ照明器具本体１４を嵌め込み固定する固定手段の一部として構成される。このモール部材２１の取付筒部２１ａには、ビス挿入孔２１ｄが貫通して形成されており、ビス挿入孔２１ｄを介して、ＬＥＤ照明器具本体１４が建築用鋼製天井下地２の下面に締付ネジ２２により締付固定されている。このビス挿入孔２１ｄは、例えばシリコン樹脂からなるキャップ部材２１ｅが取り付けられることで閉塞されている。
【００２７】
ＬＥＤ照明器具本体１４の一辺の長さＬ１は、図５に示すように、（社）公共建築協会の建築工事標準仕様書に規定された規格に基づく隣接する建築用鋼製天井下地２間の間隔Ｗ１より大きい寸法を満足するように設定されている。ＬＥＤ照明器具本体１４のベース部材１１は、天井ボード３の肉厚Ｗ２と略同一の高さＨ１を満足するように設定されている。図示例では、ＬＥＤ照明器具本体１４の外形寸法を９１０ｍｍ（長さ）×２２７ｍｍ（幅）×９．５ｍｍ（高さ）に設定している。なお、ＬＥＤ照明器具本体１４は、例えば４５５ｍｍ×９１０ｍｍあるいは９１０ｍｍ×９１０ｍｍなどの一般的な寸法を有する天井ボード３に適用できることは勿論である。
【００２８】
この実施の形態にあっては、ＬＥＤ照明器具本体１４を互いに隣接する一対の建築用鋼製天井下地２間の天井ボード設置空間５を含めて、ＬＥＤ照明器具本体１４の一辺の長さＬ１及びベース部材１１の高さＨ１を同時に満足させるように設計することができる。ベース部材１１の高さＨ１と天井ボード３の肉厚Ｗ２とを略一致させることができると同時に、ＬＥＤ照明器具本体１４が天井ボード設置空間５に配置可能とされている。ＬＥＤ照明器具本体１４の一辺の長さＬ１と天井ボード３の対向端面間の間隔Ｗ３とを略一致させることができる。
【００２９】
ところで、複数の天井ボード３のうち、一部の天井ボード３を取り除いて、一対の建築用鋼製天井下地２の対向縁部に形成された裾部上にＬＥＤ照明器具本体１４を載置した従来のＬＥＤ照明器具本体１４の取付けにあっては、建築用鋼製天井下地２の裾部に補強部材を備えることでＬＥＤ照明器具本体１４の自重により建築用鋼製天井下地２に不動状態で設置することができる。
【００３０】
しかしながら、一対の建築用鋼製天井下地２間の間隔寸法を基準にすると、一対の建築用鋼製天井下地２間の間隔寸法に制約を受けるので、ＬＥＤ照明器具本体１４の設計上の自由度や照明レイアウトの自由度が小さくなってしまう。上記特許文献１記載の天井埋込型の蛍光灯装置にあっても、一対の建築用鋼製天井下地２間の間隔寸法を基準として、建築用鋼製天井下地２に蛍光灯装置を取り付ける構成となっているので、ＬＥＤ照明器具本体１４の設計上の自由度や照明レイアウトの自由度が小さくなるという点では従前通り変わらない。
【００３１】
これに対し、上記実施の形態に係る天井埋込型のＬＥＤ照明装置１０は、複数の建築用鋼製天井下地２の下面にあって、天井ボード３を取り除いた周辺部の天井ボード３間に形成された天井ボード設置空間５にＬＥＤ照明器具本体１４を設置している。これにより、次に示すような効果が得られる。
【００３２】
（実施の形態の効果）
以下、上記実施の形態に係る天井埋込型のＬＥＤ照明装置１０の効果を説明する。
【００３３】
（１）ＬＥＤ照明器具本体１４を互いに隣接する一対の建築用鋼製天井下地２間の天井ボード設置空間５を含めて、ＬＥＤ照明器具本体１４の大きさを設計できるため、設計上の自由度が高められる。
（２）天井ボード３の外形形状に見合った良好な外観意匠性が得られるとともに、ＬＥＤ照明のレイアウトの自由度が得られ、商品価値が高められる。
（３）ＬＥＤ照明器具本体１４が、互いに隣接する一対の建築用鋼製天井下地２間の下面に存在する天井ボード設置空間５に容易に配置可能とされ、建築用鋼製天井下地２から脱落することを防止することができる。
（４）天井ボード３の埋込寸法が、ＬＥＤ照明器具本体１４の高さ寸法と略合致しているため、建築用鋼製天井下地２を切断加工することなく、既存の天井にＬＥＤ照明器具本体１４を取り付けることが可能になり、天井等の建造物の耐震性を損なわない。
（５）ＬＥＤ照明器具本体１４の取付作業、建築用鋼製天井下地２の切断作業や補強作業などを狭い空間で行なう必要がなく、それらの作業に手間、労力や時間などを必要としないので、設備費や施工費などを低減させることができる。
【００３４】
［他の実施の形態］
以上の説明からも明らかなように、本発明の照明装置を上記実施の形態に基づいて説明したが、本発明は上記実施の形態及び図示例に限定されるものではなく、その要旨を逸脱しない範囲で種々の態様において実施することが可能である。本発明にあっては、次に示すような実施の形態も可能である。
【００３５】
図示例では、互いに隣接する一対の建築用鋼製天井下地２間に形成された開口を塞ぐ天井ボード３を取り除いて、ＬＥＤ照明器具本体１４を設置していたが、複数の建築用鋼製天井下地２間に形成された開口を塞ぐ複数の天井ボード３を取り除いて、ＬＥＤ照明器具本体１４を設置することができる。
【００３６】
ＬＥＤ照明器具本体１４の設置箇所となる建築用鋼製天井下地２間の間隔をＷ１、天井ボード３の肉厚をＷ２、天井ボード３の対向端面間の間隔をＷ３、ＬＥＤ照明器具本体１４の一辺の長さをＬ１、及びベース部材１１の高さをＨ１としたとき、Ｗ３≧Ｌ１＞Ｗ１の関係、及びＨ１≦Ｗ２の関係を満足することが好適である。
【００３７】
図示例では、絶縁シート１６を介して並列した複数のＬＥＤ基板１７、ＬＥＤ基板１７上に搭載された複数の長方形状のリフレクタ１８、及び複数のＬＥＤ素子１９により構成された照明モジュールを例示したが、照明モジュールの構成部品の種類、構造や形状などは限定されるものではない。なお、ＬＥＤ照明装置を例示したが、有機ＥＬ照明装置であってもよい。
【００３８】
図示例では、専用直流電源３１とＬＥＤ照明器具本体１４とを別々に設けた構成例を説明したが、専用直流電源３１がＬＥＤ基板１７と一体化したものであってもよいことは勿論である。
【符号の説明】
【００３９】
１                天井照明システム
２                建築用鋼製天井下地
３                天井ボード
４                吊りボルト
５                天井ボード設置空間
１０              ＬＥＤ照明装置
１１              ベース部材
１２              正面パネル
１３              サイドフレーム部材
１３ａ            取付基部
１３ｂ            パネル挟持部
１３ｃ，２１ｃ    リップ部
１４              ＬＥＤ照明器具本体
１５              収容空間
１６              絶縁シート
１７              ＬＥＤ基板
１８              リフレクタ
１８ａ            孔
１９              ＬＥＤ素子
２０              取付スペーサ
２０ａ            ネジ部
２０ｂ            内ネジ
２１              モール部材
２１ａ            取付筒部
２１ｂ            フレーム支持部
２１ｄ            ビス挿入孔
２１ｅ            キャップ部材
２２              締付ネジ
３０              端子台
３１              専用直流電源
３２              電源線
Ｈ１              ベース部材の高さ
Ｌ１              ＬＥＤ照明器具本体の一辺の長さ
Ｗ１              建築用鋼製天井下地間の間隔
Ｗ２              天井ボードの肉厚
Ｗ３              天井ボードの対向端面間の間隔
【図１】
0005545473.tif 000002
【図２】
0005545473.tif 000003
【図３】
0005545473.tif 000004
【図４】
0005545473.tif 000005
【図５】
0005545473.tif 000006